(57)【要約】【課題】魚のあたりに応じて自動的にフッキング可能な釣り用の自動フッキング浮きを提供する。【解決手段】第１の浮き案内口を有する上段胴体部と，第２の浮き案内口及び弾力板が挿入される弾力案内口を有する下段胴体部との組立からなり，水面上で浮力作用する浮力筒と，浮力筒の下端部に組み立てられ，周面の上下にそれぞれ一定長さの第１のスライド溝及び第２のスライド溝を有して，それらの間には係止突部が備えられた案内円筒と，案内円筒に沿って上方に摺動する弾力具と，弾力具の上方摺動ができるように案内円筒の内部下端に挿入されて弾性力を発揮するばねと，弾力具とばねとの間に結合されて，上方に摺動する弾力具の下端係止動作ができるように凸部を有する作動ピンと，案内円筒の下端部に組み立てられるカバーと，浮力筒及び案内円筒を貫通する棒型内部浮きとから構成される。【選択図】　図１
2004016169.tif 000002
【特許請求の範囲】
【請求項１】
第１の浮き案内口を有する上段胴体部と，第２の浮き案内口及び弾力板の弾力案内口を有する下段胴体部とから構成される浮力筒と，
前記浮力筒の下端部に設置される係止突部と，上下に一定の長さを有する第１のスライド溝及び第２のスライド溝とを有する案内円筒と，
前記案内円筒に沿って上方に摺動する弾力具と，
前記弾力具の上方への摺動のために案内円筒の内部に挿入される弾性力を有するばねと，
前記弾力具と前記ばねとの間に，上方に摺動する前記弾力具の下端部に備わる作動ピンと，
前記ばねの弾性作用を保持するための前記案内円筒の下端部に備わるカバーと，
前記浮力筒及び前記案内円筒に挿入されて，前記弾力具の上方摺動によりフッキングが行われる棒型内部浮きとから構成されることを特徴とする，自動フッキング浮き。
【請求項２】
前記弾力具は，前記浮力筒の下段胴体部に設けられる前記弾力案内口に装着される弾力板と，
前記弾力板の一側面に設けられて，前記案内円筒の外周面の前記係止突部に係止される上段係止部及び下段係止部と，
前記弾力具の下端部の両側に設けられて，前記作動ピンの凸部が挿入される雌口とを有することを特徴とする，請求項１記載の自動フッキング浮き。
【請求項３】
前記棒型内部浮きは，浮き本体と，浮きカバーとから成り，
前記浮きカバーの上端部には，前記浮き本体から前記浮きカバーの離脱を防止するための固定具が備えられて，前記固定具の下端部には，前記案内円筒の前記係止突部に係止された前記上段係止部及び前記下段係止部の係止解除するための係止解除錘が備えられることを特徴とする，請求項１記載の自動フッキング浮き。
【請求項４】
前記弾力具は，前記上段係止部と前記下段係止部との間に挿入孔が形成されて，
前記挿入孔の上端部には，前記浮きカバーに設けられた前記係止解除錘を捕える係止部と，
前記挿入孔に挿入され，前記係止部を圧着する圧着環と圧着段差部とを有する安全管とから構成されることを特徴とする，請求項１記載の自動フッキング浮き。
【請求項５】
前記浮きカバーの前記係止解除錘の下端部には，重り円板が形成されることを特徴とする，請求項４記載の自動フッキング浮き。
【請求項６】
前記案内円筒は，下端部に係止溝を有して，
前記係止溝は，前記棒方内部浮きを保持するための上方向にかけて所定の長さを有する固定安着部と，
前記固定安着部の上端部と連結して，前記案内円筒の斜め下方向に所定の長さを有する傾斜離脱部とから成り，
前記棒型内部浮きの下端部には，前記係止溝に挿入可能な係止突錘が突出形状に形成されて，
前記案内円筒を被覆する流動浮力筒の下端部には，前記傾斜離脱部の傾斜と略同じ傾斜溝が形成されることを特徴とする，請求項１記載の自動フッキング浮き。
【請求項７】
前記案内円筒は，前記流動浮力筒の移動を停止するための停止段が形成されて，前記流動浮力筒の内周面には，長手方向にガイド溝と，前記案内円筒の外周面には，長手方向にガイド突部とが形成されることを特徴とする，請求項６記載の自動フッキング浮き。
【発明の詳細な説明】
【０００１】
【発明の属する技術分野】
本発明は釣りに用いる浮きにかかり，特に釣り人により「あわせ」（フッキング）をすることなく，自動的に行われる自動あわせ浮きに関する。なお，フッキングとは，仕掛けられた針に魚の口が触れるなどにより発生する，いわゆる「あたり」（バイト）の場合に，魚の口を針で掛止させる（魚に針を食わせる）ために釣り竿を引き上げ，または釣り糸を巻き上げることをいう。
【０００２】
【従来の技術】
釣りをする際に使用される浮きは，水面上にフワフワと浮かび，浮きを釣り人の肉眼により凝視されて，浮きが水面の上下動の際に，釣り人自身の判断によりフッキングしている。この場合，水中に仕掛けられた釣餌に魚が食い付いて浮きが動くのか，或いは魚以外の海藻類などの物体により浮きが動かされているのかは，釣り人の判断により，フッキングされる。
【０００３】
【発明が解決しようとする課題】
しかしながら，浮きの注視により釣り人の目が疲労して浮きの注視を中断又は小便などの理由で釣り場から席を離れることにより，フッキング（あわせ）時期を逃し，或いはフッキング時期を正確に見定めても針に仕掛けられた餌だけ魚に食べられてしまう場合が多々あった。
【０００４】
そのうえ，あたりがあるのを確実に判断するために，浮きを水面と垂直に又は浮きが水面に対して敏感に作動させるには，浮力調整を正確に行う必要があった。
【０００５】
そのため，経験豊かな玄人の場合でなければ，フッキングのタイミングを逃す場合が多く，また浮力調整も正確にできないという問題があった。特に，夜釣りの場合，浮きが水面を上下動するなどの判断をするためにケミライトを装着しても浮きのトップ（先端）の動きを正確に把握することができないという問題点があった。
【０００６】
本発明は，上記問題点に鑑みてなされたものであり，本発明の目的は，あたりに応じて自動的にフッキングの可能な，新規かつ改良された釣り用の自動フッキング浮きを提供することである。
【０００７】
【課題を解決するための手段】
上記課題を解決するため，本発明の第１の観点によれば，第１の浮き案内口を有する上段胴体部と，第２の浮き案内口及び弾力板が挿入される弾力案内口を有する下段胴体部との組立からなり，水面上で浮力作用する浮力筒と，浮力筒の下端部に組み立てられるが，周面の上下にそれぞれ一定長さの第１のスライド溝及び第２のスライド溝を有し，それらの間には係止突部を備えた案内円筒と，フッキングが自動に行われるように案内円筒に沿って上方に摺動する弾力具と，弾力具の上方摺動ができるように案内円筒の内部下端に挿入されて弾性力を発揮するばねと，弾力具とばねとの間に結合され，上方に摺動する弾力具の下端係止動作ができるように凸部を有する作動ピンと，ばねの弾性作用を保持するように案内円筒の下端部に組み立てられるカバーと，浮力筒及び案内円筒を貫通し，弾力具の上方摺動によって自動フッキングを行う棒型内部浮きとから構成されることを特徴とする。
【０００８】
弾力具は，案内円筒の第１のスライド溝に沿って移動しながら広がる弾力作用によって，浮力筒の下段胴体部に設けられた弾力案内口に装着される弾力板と，弾力板の一側面にそれぞれ設けられ，弾力具の下方移動時に案内円筒の周面の係止突部に係止される上段係止部及び下段係止部と，弾力具の下端部の両側に設けられ，作動ピンの凸部が挿入される雌口とが含まれる。
【０００９】
棒型内部浮きは，浮き本体と浮きカバーの結合からなるが，浮きカバーの上端部には，浮き本体から浮きカバーの離脱を防止する固定具が設けられ，固定具の下端には，案内円筒の係止突部に係止された上段係止部及び下段係止部の係止を解除させる係止解除錘が設けられる。
【００１０】
弾力具を水の中に投げ込む時に自動フッキング浮きの作動が起こらないように，弾力板の上段係止部と下段係止部との間に挿入孔が形成されて，その上端部には棒型内部浮きの浮きカバーに設けられた係止解除錘を捕える係止部が形成されて，挿入孔に挿入され，係止部を圧着するように圧着環と圧着段差部を有する安全管が形成される。
【００１１】
安全管の圧着段差部に圧着されながら安全管の下降が容易に行われるように，浮きカバーの係止解除錘の下端部には，重り円板が形成される。
【００１２】
誤作動を防止するための構成として，案内円筒の下端部に係止溝が構成されるが，上記係止溝は，案内円筒の下端部のやや上方から若干の長さを有する固定安着部と，固定安着部の上端部から案内円筒の下端部まで形成される傾斜離脱部とからなり，棒型内部浮きの下端部には係止溝に挿入可能な係止突錘を突出形成されて，案内円筒の下端部を取り囲む形の流動浮力筒を結合するが，流動浮力筒の下端部には，係止溝の傾斜離脱部の傾斜と同じ方向に傾いた傾斜溝が形成される。
【００１３】
流動浮力筒が上昇する限界を与えながら回転が行われないようにする構成として，案内円筒の下端部の直径を減らして停止段が形成されると共に，流動浮力筒の内部には長手方向にガイド溝が形成されて，案内円筒の外面には長手方向にガイド突部が形成される。
【００１４】
【発明の実施の形態】
（第１の実施の形態）
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００１５】
まず，図１，２，３，４，および図５を参照しながら，第一の実施の形態にかかる自動フッキング浮きについて説明する。図１は，第一の実施の形態に係る自動フッキング浮きの構造を示す分解図であり，図２は，第一の実施の形態に係る自動フッキング浮きを示す断面図であり，図３は，第一の実施の形態に係る弾力具の構造を示す側面図であり，図４は，第一の実施の形態に係る棒型内部浮きの構造を示す正面図であり，図５は，第一の実施の形態に係る釣り糸が装着された自動フッキング浮きを示す断面図である。
【００１６】
図１に示すように，自動フッキング浮きは，水面からの浮力となる第１浮き案内口１ａを有する上段胴体部１と，第２浮き案内口２ａ及び弾力板３１の弾力案内口２ｂを有する下段胴体部２とから浮力筒１０が構成されている。
【００１７】
また自動フッキング浮きは，表面上の上下にそれぞれ一定の長さ第１スライド溝１２ａ及び第２スライド溝１２ｂを有し，それらの間に係止突部１２ｃを備えた案内円筒２０を有する。
【００１８】
また自動フッキング浮きは，フッキングが自動に行われるように案内円筒２０に沿って摺動する弾力具３０と，弾力具３０の摺動ができるように案内円筒２０の内部下端に挿入されて弾性力を発揮するばね４０と，弾力具３０とばね４０との間に設けられ，上方に摺動する弾力具３０の下端部における係止する動作ができるように凸部５０ａを有する作動ピン５０と，ばね４０の弾性作用を保持するため案内円筒２０の下端部に組み立てられるカバー６０とを有する。
【００１９】
さらに，図４および図５に示すように，自動フッキング浮きは，浮力筒１０及び案内円筒２０に挿入して，弾力具３０の上方摺動によって自動フッキングを行う棒型内部浮き７０とが含まれる。なお，ばね４０は，弾性力を発揮する弾性体であれば他のいかなるものでも実施可能である。
【００２０】
弾力具３０は，案内円筒２０の第１スライド溝１２ａに沿った移動により，浮力筒１０の下段胴体部２に設けられた弾力案内口２ｂと弾力板３１とが装着される。
【００２１】
さらに弾力具３０は，少なくとも一側面にそれぞれ設けられ，弾力具３０の下方移動時に案内円筒２０の周面の係止突部１２ｃに係止される上段係止部３２及び下段係止部３３と，弾力具３０の下端部の両側に設けられ，作動ピン５０の凸部５０ａが挿入される雌口３４とを含んでいる。
【００２２】
棒型内部浮き７０は，浮き本体７１と浮きカバー７２の結合からなるが，浮きカバー７２の上端部には，浮き本体７１から浮きカバー７２の離脱を防止する固定具７２ａが設けられ，固定具７２ａの下端部には案内円筒２０の係止突部１２ｃに係止された上下段係止部３２，３３の係止を解除させる係止解除錘７２ｂが設けられている。
【００２３】
なお，浮き本体７１は通常，浮きヘッド７１ａ，浮きトップ７１ｂ，浮き棒７１ｃ及びゴム棒７１ｄが一体に構成されるが，弾力板３１はスチール板ばねのような機能が与えられることが好ましい。
【００２４】
次に，図１〜図５を参照しながら，第一の実施の形態に係る自動フッキング浮きの組立て方法について説明する。
【００２５】
まず，自動フッキング浮きが水面上に常に浮いているように浮力となる，第１浮き案内口１ａを有する上段胴体部１と，第２浮き案内口２ａと弾力板３１の弾力案内口２ｂを有する下段胴体部２とを組み立てて浮力筒１０を形成する。
【００２６】
次に，下端部にカバー６０が結合された案内円筒２０にばね４０と凸部５０ａを有する作動ピン５０を挿入して，浮力筒１０の下端部に，案内筒２０を結合させる。
【００２７】
上記結合後，作動ピン５０の凸部５０ａは，案内円筒２０の下端に形成された第２スライド溝１２ｂから突出した状態を維持する。
【００２８】
次に，案内円筒２０の周面に弾力具３０が結合される。弾力具３０の上端部に形成される弾力板３１は，浮力筒１０の下端胴体部２の弾力案内口２ｂに装着されて，図３に示すように，弾力具３０の下端両側に形成された雌口３４には，第２スライド溝１２ｂから突出した作動ピン５０の凸部５０ａが挿入される。
【００２９】
その後，浮力筒１０の上端から案内円筒２０に棒型内部浮き７０を挿通させると，自動フッキング浮きが組立てられる。
【００３０】
次に，第一の実施の形態に係る自動フッキング浮きの各構成要素に対する作用をより詳細に説明する。
【００３１】
まず，第一の実施の形態に係る自動フッキング浮きの弾力具３０を案内円筒２０の下方に押圧すると，上記案内円筒２０の下端部に設けられた第２スライド溝１２ｂに沿って作動ピン５０の凸部５０ａが摺動する。同時に，弾力具３０の弾力板３１も案内円筒２０の上部に設けられた第１スライド溝１２ａに沿って下方に移動する。
【００３２】
この際，上記第１スライド溝１２ａと第２スライド溝１２ｂとの間に設けられた係止突部１２ｃに上段係止部３２及び下段係止部３３が係止されることにより，弾力具３０は，案内円筒２０の下部に位置すると共に，案内円筒２０の内部に装着された，ばね４０は収縮する。
【００３３】
次に，浮力筒１０の上端から棒型内部浮き７０を挿入すると，棒型内部浮き７０は，浮力筒１０に沿って案内円筒２０に挿入されて装着される。
【００３４】
その後，釣針５に釣餌を付けた後，自動フッキング浮き，釣針５及び重り４が付いている釣糸３を，釣りをするため，水に放り投げると，釣針５及び重り４は水中に沈み，自動フッキング浮きの浮力筒１０は水面に浮く。
【００３５】
この際，前記釣針５の釣餌に魚のあたりがある場合，棒型内部浮き７０が微々と上下に動く。
【００３６】
ところが，魚が釣餌を吸入して釣針５が魚の口に入ると，重り４の孔を介して釣糸３からの引力により，棒型内部浮き７０が下降すると同時に，棒型内部浮き７０に結合されている浮きカバー７２の係止解除錘７２ｂが案内円筒２０の係止突部１２ｃに係止されている弾力板３１の上段係止部３２及び下段係止部３３を横方向（左右方向）に押し付ける。
【００３７】
この際，上段係止部３２及び下段係止部３３が横方向に押し付けられると同時に，案内円筒２０の内部で収縮されていたばね４０が瞬間的に膨張して，弾力性を発揮し，ばね４０の膨張作用によって作動ピン５０及び弾力具３０が瞬間的に上方向に移動することにより，棒型内部浮き７０のフッキングが行われる。
【００３８】
（第２の実施形態）
次に，図６〜図１０を参照しながら，第二の実施の形態に係る自動フッキング浮きについて説明する。図６は，第二の実施の形態に係る自動フッキング浮きを示す分解正面図であり，図７は，第二の実施の形態に係る自動フッキング浮きを示す断面図である。図８は，第二の実施の形態に係る弾力具を示す側面図であり，図９は，第二の実施の形態に係る棒型内部浮きを示す正面図であり，図１０は，第二の実施の形態に係る釣糸が装着された自動フッキング浮きを示す断面図である。
【００３９】
まず，図６及び図８に示すように，第二の実施の形態に係る自動フッキング浮きは，弾力板３１の一側面に設けられた上段係止部３２，下段係止部３３の間に挿入孔３１ａが形成されている。
【００４０】
また，図９に示す棒型内部浮き７０の浮きカバー７２に設けられた係止解除錘７２ｂを捕えるため，図６に示すように，弾力板３１の上部には，係止部３２ｂが形成されている。
【００４１】
また，第二の実施の形態に係る安全管８０は，圧着環８０ａ及び圧着段差部８０ｂを有して，挿入孔３１ａに挿入され，係止部３１ｂを圧着するように装着される。上記圧着段差部８０ｂが圧着しながら安全管８０の下降が容易に行われるため，浮きカバー７２の係止解除錘７２ｂの下端には重り円板７２ｃが形成されている。
【００４２】
つまり，第二の実施の形態にかかる自動フッキング浮きは，弾力具３０が水中に放り投げられて沈む場合，外部からの衝撃又は水と棒型内部浮き７０の摩擦の激しさにより，自動フッキング浮きのフッキング作動が行われるのを防ぐことが可能となる。これは上記安全管８０が下方向に移動しなければ，浮きカバー７２の係止解除錘７２ｂが係止部３１ｂをタッチしても自動フッキング浮きの作動が行われないためである。
【００４３】
したがって，安全管８０が下降せず棒型内部浮き７０と共に下降すると，安全管８０の圧着環８０ａが係止部３１ｂを圧着しているため，自動フッキングが行われなくなる。
【００４４】
（第三の実施の形態）
次に，第三の実施の形態にかかる自動フッキング浮きについて説明する。第三の実施の形態にかかる自動フッキング浮きは，第一及び第二の実施の形態と比べて，釣糸に連結された自動フッキング浮きと釣針を水中に投入する過程において，誤作動を防止することについてさらに明確に相違する。
【００４５】
例えば，片手で釣竿を振ることにより，仕掛けられた釣針及び浮き投げ飛ばす場合と，第一又は第二の実施の形態にかかる自動フッキング浮きを使用する場合とを比べると，後者の自動フッキング浮きを使用する方が，非常に強い力を必要とされるため，誤作動の発生確率が高い。
【００４６】
第三の実施の形態に係る自動フッキング浮きにより，誤作動をさらにより明確に防止することが可能となる。以下に，第三の実施の形態に係る自動フッキング浮きについて詳細に説明する。
【００４７】
ここで，図１１〜図１４を参照しながら，第三の実施の形態に係る自動フッキング浮きについて説明する。まず図１１，図１３，および図１４に示すように，第三の実施の形態に係る自動フッキング浮きは，案内円筒２０の下端部に係止溝１６０が形成されている。
【００４８】
上記係止溝１６０は，案内円筒２０の下端部に垂直方向に所定の長さを有する固定安着部１６１と，固定安着部１６１の上端部から案内円筒２０の下端部まで斜め方向に形成される傾斜離脱部１６２とからなる。
【００４９】
さらに，棒型内部浮き７０の下端部には上記係止溝１６０に掛着可能な突出形状の係止突錘１３２が形成される。
【００５０】
上記案内円筒２０の係止溝１６０を含む下端部を包むための流動浮力筒１７０が，挿入される。上記流動浮力筒１７０の下端には，係止溝１６０の傾斜離脱部１６２の傾斜とほぼ同じ方向に傾斜溝１７１が形成される。
【００５１】
また図１３及び図１４に示すように，流動浮力筒１７０が，垂直方向に力を与えながら回転が行われず移動されるために，流動浮力筒１７０の内部には長手方向にガイド溝１７２が形成されて，案内円筒２０の外面には長手方向にガイド突部１２４が形成される。さらに，流動浮力筒１７０の移動範囲を制限するために案内円筒２０の下端部に停止段１２３が形成される。なお，ガイド溝１７２又はガイド突部１２４のうちいずれか一方が，案内円筒２０に形成されて，他方が流動浮力筒１７０に形成されていれば，実施可能である。
【００５２】
次に，第三の実施の形態にかかる作用について説明すると，自動フッキング浮き，釣り糸，釣針，および釣り餌などの仕掛けを釣竿に連結させて，準備済みの状態で，釣りをするために，水面に向かって，自動フッキング浮きを含む仕掛けを投入する前に，棒型内部浮き７０の下端に構成した係止突錘１３２が係止溝１６０に挿入されて固定安着部１６１及び傾斜溝１７２で掛止させておく。
【００５３】
上記の状態から，自動フッキング浮きを含む仕掛けを投入する過程において棒型内部浮き７０から下端部の釣糸３に張力が作用しても，棒型内部浮き７０の係止突錘１３２が係止溝１６０の固定安着部１６１に掛止しているので，棒型内部浮き７０は，案内円筒２０から外れることなく，確実に水中に投入することが可能となる。
【００５４】
さらに，水中に自動フッキング浮きが入ると，水中で自動フッキング浮きが浮力筒１０による浮力によって直立状態になると，流動浮力筒１７０も案内円筒２０に沿って浮力により上昇する。上記過程において，傾斜溝１７１が上昇しながら，係止突錘１３２が少し上昇すると同時に傾斜離脱部１６２の案内円筒２０の下端方向に押し付けられるので，棒型内部浮き７０は，傾斜離脱部１６２を抜け出て自由状態になるので下降する。
【００５５】
下降が完了すると，棒型内部浮き７０の係止解除錘７２ｂが弾力具３０の上段係止部３２のすぐ上に位置するので，自動フッキング可能な状態となる。その後，魚が釣餌に食い付いて自動フッキングされる作用は前述した通りである。
【００５６】
第二及び第三の実施の形態にかかる自動フッキング浮きにおいて，図１〜図５に示す第一の実施の形態にかかる自動フッキング浮きと重複する部分については，ほぼ同様な構成であることから詳細な説明を省略した。
【００５７】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【００５８】
【発明の効果】
以上説明したように，本発明によれば，確実に仕掛けを水面に投入することにより，挿入された弾力浮きが魚のあたりに応じて浮きが自動的にフッキングすることが可能となり，夜釣りの場合，またはフッキングの経験が浅い素人などの場合，常に浮きを注視しなければならない不便さを解消し，目の疲労を予防し，さらに効率的に魚を釣り上げることが可能となる。また，自動的にフッキングされた場合の，浮きの付いている魚の動きを正確に把握できるなど釣りの楽しみを増加させることが可能となる。
【図面の簡単な説明】
【図１】第一の実施の形態に係る自動フッキング浮きの構造を示す分解正面図である。
【図２】第一の実施の形態に係る自動フッキング浮きを示す断面図である。
【図３】第一の実施の形態に係る弾力具の構造を示す側面図である。
【図４】第一の実施の形態に係る棒型内部浮きの構造を示す正面図である。
【図５】第一の実施の形態に係る釣り糸が装着された自動フッキング浮きを示す断面図である。
【図６】第二の実施の形態に係る自動フッキング浮きを示す分解正面図である。
【図７】第二の実施の形態に係る自動フッキング浮きを示す断面図である。
【図８】第二の実施の形態に係る弾力具を示す側面図である。
【図９】第二の実施の形態に係る棒型内部浮きを示す正面図である。
【図１０】第二の実施の形態に係る釣糸が装着された自動フッキング浮きを示す断面図である。
【図１１】第三の実施の形態に係る自動フッキング浮きを示す正面図である。
【図１２】図１１のＡ−Ａ拡大断面図である。
【図１３】図１１の部分拡大正面図である。
【図１４】図１１の一部を示す分解斜視図である。
【符号の説明】
１　　：上端胴体部
１ａ　：第１浮き案内口
２　　：下端胴体部
２ａ　：第２浮き案内口
１０　：浮力筒
１２ａ：第１スライド溝
１２ｂ：第２スライド溝
１２ｃ：係止突部
２０　：案内円筒
３０　：弾力具
３１　：弾力板
３１ａ　　挿入孔
３１ｂ：係止部
３２　：上段係止部
３３　：下段係止部
３４　：雌口
４０　：ばね
５０　：作動ピン
５０ａ：凸部
６０　：カバー
７０　：棒型内部浮き
７１　：浮き本体
７２　：浮きカバー
７２ａ：固定具
７２ｂ：係止解除錘
７２ｃ：重り円板
８０　：安全管
８０ａ：圧着環
８０ｂ：圧着段差部
１２３：停止段
１２４：ガイド突部
１６０：係止溝
１６１：固定安着部
１６２：傾斜離脱部
１７０：流動浮力筒
１７１：傾斜溝
【図１】
2004016169.tif 000003
【図２】
2004016169.tif 000004
【図３】
2004016169.tif 000005
【図４】
2004016169.tif 000006
【図５】
2004016169.tif 000007
【図６】
2004016169.tif 000008
【図７】
2004016169.tif 000009
【図８】
2004016169.tif 000010
【図９】
2004016169.tif 000011
【図１０】
2004016169.tif 000012
【図１１】
2004016169.tif 000013
【図１２】
2004016169.tif 000014
【図１３】
2004016169.tif 000015
【図１４】
2004016169.tif 000016